(57)【要約】【課題】  可動翼片を有す入賞装置における情報表示機能と可動翼片を有す入賞装置の趣向とを機能化して向上する。【解決手段】  取付ベース蓋１のレンズ部１２と、左右一対の可動翼片４ａ、４ｂ本体と可動翼片４ａ、可動翼片４ｂにそれぞれ嵌合されるレンズユニット５ａとレンズユニット５ｂとに光制御溝６２、６７、６８が形成されるとともに彩色された光透過面を形成する一方、可動翼片４ａ、４ｂの拡開若しくは縮閉動作に伴ってこれにＬＥＤ４７ａ、４７ｂからの投光を光透過面に照射し拡開時には縮青色を可動翼片より発色させる一方、可動翼片４ａ４ｂの閉鎖時には可動翼片４ａ、４ｂに嵌合されたレンズユニット５ａ、５ｂの光透過面に投光し可動翼片４ａ、４ｂより赤色を発色する可動翼片４ａ、４ｂを有す入賞装置。【選択図】    図５
2005270274.tif 000002
【特許請求の範囲】
【請求項１】
装置内に設けられたＬＥＤからの光束を制御して遊技者側に照射する複数の光透過面を、拡開時にはパチンコ球を装置内への受入を容易とし縮閉時には装置内への受入を困難とする可動翼片に形成すると供に、該可動翼片の拡開若しくは縮閉動作に対応して前記ＬＥＤからの光束を受ける複数の光透過面を交互に切り換えて遊技者に向け可動翼片から投射する発光色を変換する光変換手段の設けられたことを特徴とするパチンコ遊技機の入賞装置。
【発明の詳細な説明】
【技術分野】
【０００１】
本発明は、パチンコ遊技機の入賞装置に関する。
【背景技術】
【０００２】
従来、パチンコ遊技機の入賞装置において光を放射する構成の発明については、パチンコ機の打球受口器の前面に発光部を有した発光板を取付け発光板から引き出される配線コードを挿通孔を介して後方に導出する構造として華やかに電飾されるようにし、打球を考慮することなく配線できるようにした技術が近い分野の発明として出願されている。（特許文献１、特許請求の範囲の記載及び段落記号００１５の記載参照。）また、取付枠の後端にＬＥＤランプ基板を取付け点灯によってカバーの内部を明るく照明しようとする発明が技術思想の近似するものとして出願されている。（特許文献２、図２及び段落記号００１６参照。）さらに、遮光部材と帯状に着色されて往復移動可能に配置されたフィルター部材と駆動手段とを有して発光体の発光色とは異なる複数の色彩に変化させ、同一の発光体から光の発光状態を変化させて光の演出効果を高めようとした電飾装置を備えた遊技機に関する発明は出願されている。（特許文献３、特許請求の範囲の記載及び段落記号０００８参照。）
【０００３】
また、役物に遊技球が入り、通過し或いは特定遊技状態に成った場合に可動翼片を照明し、可動翼片の拡開、起立に回動した位置によって照明する色を変化させる役物の発明についての公開特許公報もみられる。（特許文献４、段落記号０００７、０００８参照。）さらに、ポケット部の前面部に透明な凸レンズ部を形成し後方に光拡散板と光源を配置し光源からの光を拡散させ複数の発光色を発光させることにより従来にない透過光としようとする入賞装置の特許出願はなされている。（特許文献５、段落記号０００３、０００４参照。）
【特許文献１】特開平０７−１３６３２４号公報（図３）
【特許文献２】特開平０８−１０３５３７号公報（図２）
【特許文献３】特開２００１−１６１９０５号公報（図７）
【特許文献４】特開２００２−２９２００４号公報（図６）
【特許文献５】特開２００３−６２２０６号公報（図５）
【発明の開示】
【発明が解決しようとする課題】
【０００４】
本発明は、パチンコ遊技機の入賞装置における入賞球取得に伴う趣向を可動翼片の動作に同調して変換制御される光を介して向上させ、併せて入賞装置の動作状態に応じた情報表示を、ノイズに弱い電子回路やプログラムによることなく単純な機械構造により実行可能なパチンコ遊技機の入賞装置を提供することを目的とする。
【課題を解決するための手段】
【０００５】
本願発明の課題を解決する手段は、装置内に設けられたＬＥＤからの光束を制御して遊技者側に照射する複数の光透過面を、拡開時にはパチンコ球を装置内への受入を容易とし縮閉時には装置内への受入を困難とする可動翼片に形成すると供に、該可動翼片の拡開若しくは縮閉動作に対応して前記ＬＥＤからの光束を受ける複数の光透過面を交互に切り換えて遊技者に向け可動翼片から投射する発光色を変換する光変換手段の設けられたことを特徴とするパチンコ遊技機の入賞装置を要旨とする。
【発明の効果】
【０００６】
本願発明の構成によって、本発明はパチンコ遊技機の入賞装置における入賞球取得に伴う趣向を可動翼片の動作に同調して変換制御される光を介して向上させ、併せて入賞装置の動作状態に応じた情報表示を、ノイズに弱い電子回路やプログラムによることなく単純な機械構造により実行可能なパチンコ遊技機の入賞装置を提供する効果を生じる。
【発明を実施するための最良の形態】
【０００７】
本願発明における実施の形態を、図１から図１０を参照して以下詳細に説明する。
【実施例１】
【０００８】
本実施例において、図１は、本願発明に係る入賞装置の立体斜視図であって該入賞装置は取付ベース基板２に対して取付ベース蓋１と取付ベース枠３とが重着されて成り、取付ベース蓋１の前面には装飾面１３とレンズ部１２とが設けられている。レンズ部１２は光透過性を有し着色された半透明の合成樹脂材により成型され取付ベース蓋１の下方位置に形成された光透過面となっている。装飾面１３は凹形状に窪み９８が成型された遮光性を有す合成樹脂板よりなっていて、該窪み９８には印刷模様が塗着された円弧形状のシール部材９９が嵌合して貼着されている。
【０００９】
取付ベース基板２と取付ベース蓋１との間隙には、左右一対の可動翼片４ａ、４ｂが八十度の旋回範囲内で回動可能に軸支されている。前記取付ベース蓋１には球受面１６が形成されていて、取付ベース基板２に設けられた球受面２３とによって取付ベース基板２との嵌合時に連通されて当該入賞装置に落入した入賞球を案内する。取付ベース基板２の上部には球検出スイッチ嵌合体２７が形成されていて、スイッチ嵌合体２７内側に刻設された球検出スイッチ挿通溝２８に球検出スイッチ９０が嵌合されて当該入賞装置に入賞するパチンコ球を検出可能とする。
【００１０】
取付ベース基板２の背面には、前記可動翼片４ａ、４ｂを旋回駆動する駆動ソレノイド４４と入賞球を検出する球検出スイッチ４２とを収納部で嵌着する形状に成型された合成樹脂製の取付ベース枠３が添設される。駆動ソレノイド４４は、後述するように放熱可能に上端側が開放された凹形態で取付ベース枠３の枠体に嵌合され、球検出スイッチ４２は、取付ベース枠３の枠体の内部に形成された四角状の球検出スイッチ挿通筒８２へ嵌入され、取付ベース基板２と、取付ベース枠３とによって、駆動ソレノイド４４のアクチュエーター４５の作用を受けて可動翼片４を連繋する可動翼片回動体２９が挟持され回動可能に枢支されている。
【００１１】
図２は、当該入賞装置の分解斜視図であり、取付ベース枠３は、駆動ソレノイド４４を嵌入する前記のソレノイドホルダー４０が上方を開口した凹形状に形成されると供に、球検出スイッチ４２を水平方向に摺動して挿入しまた係脱可能とする球検出スイッチ挿通筒８２が形成されている。ソレノイドホルダー４０の一側端には逆Ｌ形状に形成された溝様の配線収容部４１が取付ベース基板２側より取付ベース枠３後方に延出されている。駆動ソレノイド４４のアクチュエーター４５は、可動翼片連繋体３４に形成されたアクチュエーター嵌挿口３５に嵌合される。該可動翼片連繋体３４の外周縁に凸設された左右一対の係動片３３ａ、３３ｂは、上記可動翼片回動体２９ａ、２９ｂに設けられた係受腕３２ａ、３２ｂの係動口８４ａ、８４ｂ、に嵌通される。
【００１２】
取付ベース枠３の取付ベース基板２側に対向して形成され左右一対で上下二個所に設けられた軸受け溝３７ａ、３７ｂ、軸受け溝３８ａ、３８ｂには、可動翼片回動体２９ａ、２９ｂの回動軸３６ａ、３６ｂと回動軸８３ａ、８３ｂとが握持されている。可動翼片回動体２９ａ、２９ｂの外周縁には係受腕３２ａ、３２ｂと九十度旋回した位置に係動腕３０ａ、３０ｂが形成され、該係動腕３０ａ、３０ｂに対して透設された係動口８５ａ、８５ｂは、可動翼片４ａ、４ｂの裏面側に延出された係受片３１ａ、３１ｂを握持している。
一方、可動翼片４ａ、４ｂに設けられた前記係受片３１ａ、３１ｂは、取付ベース基板２に貫通された球受片貫通孔２２ａ、２２ｂを貫入して取付ベース基板２の裏面側において前記係動口８４ａ、８４ｂに誘入される構造となっている。
【００１３】
左右一対の可動翼片４ａ、４ｂには一対のレンズユニット嵌挿口７ａ、７ｂが透設され、該左右一対のレンズユニット嵌挿口７ａ、７ｂに対しては一対のレンズユニット５ａ、５ｂが挿入される。レンズユニット５ａ、５ｂに形成されたレンズユニット咬止片１８ａ、１８ｂが、可動翼片４ａ、４ｂのレンズユニット嵌挿口７ａ、７ｂ内に形成された図示しない係止溝に咬み合うことにより可動翼片４ａ、４ｂのレンズユニット嵌挿口７ａ、７ｂ挿入されたレンズユニット５ａ、５ｂが嵌合される。
【００１４】
可動翼片４ａ、４ｂには、一対のピン挿通孔２１ａ、２１ｂが透設されると供にピン押さえ嵌合孔８６ａ、８６ｂが刻設されていて、ピン挿通孔２１ａ、２１ｂに回動軸ピン６ａ、６ｂが挿通された後、ピン押さえ嵌合孔８６ａ、８６ｂに取付ベース蓋１に形成されたピン押さえ１７ａ、１７ｂが、取付ベース基板２に対する取付ベース蓋１の嵌合にともなって回動軸ピン６ａ、６ｂの先端部に冠着される。可動翼片４ａ、４ｂのピン貫通孔２１ａ、２１ｂに挿入された回動軸ピン６ａ、６ｂの後端部は、取付ベース基板２に凹設された軸受け溝８７ａ、８７ｂにより可動翼片４ａ、４ｂを回動可能に枢支する。
【００１５】
取付ベース蓋１のレンズ部１２の裏面側には、取付ベース基板２に形成された表示回路基板掛止片８ａ、８ｂによって脱着可能に係支された表示回路基板９が対向して設けられる。ＬＥＤ１０ａ、１０ｂの配設された該表示回路基板９表面側における該ＬＥＤ１０ａとＬＥＤ１０ｂとの間隙には、ＬＥＤ１０ａ、１０ｂの光投射方向とは９０度で交差する方向に脱着方向が設定されたコネクタ１１が設けられている。表示回路基板９上のコネクタ１１において脱着可能に接続された配線は、ほぼ直角に曲折し、球受面１６の裏面側で該球受面１６の形成する球通路に併行して導出され、取付ベース基板２に透設された配線導出孔８８を貫通して取付ベース枠３下部後方において当該入賞装置より外部に導かれている。
【００１６】
取付ベース基板２の背面には、左右一対の可動翼片４ａ、４ｂ若しくはレンズユニット５ａ、５ｂに光を投射する表示回路基板４６が付設される。表示回路基板４６には表面側に２個のＬＥＤ４７ａ、４７ｂが配設される一方、裏面側にはコネクタ４８が配設されている。コネクタ４８は表示回路基板４６の裏面側の水平方向に接続作用を設定して配置されると供に、コネクタ４８よって脱着可能に引き出された配線は既述したソレノイドホルダー４０上端側縁に形成された配線収容部４１を介して当該入賞装置の外部後方に導出される構造となっている。この為あるいは前記の配線導出孔８８の結束作用とによっても、当該入賞装置より引き出されるリード線（配線）は位置の定まらない浮動状態と成らず、入賞装置の当該パチンコ遊技機の遊技板への取付作業を容易とするとともに、入賞装置を部品として取り扱う資材管理上もリード線が断線したりする不具合から防護できることとなる。
【００１７】
表示回路基板４６に配設されたＬＥＤ４７ａの投光部と、ＬＥＤ４７ｂの投光部とは取付ベース基板２に開口されたＬＥＤ嵌通孔２４ａと、ＬＥＤ嵌通孔２４ｂとに嵌通され発光ダイオードであるＬＥＤの発光点が取付ベース基板２の内部より前方側において配置されるよう構成されている。これによって発光ダイオードＬＥＤ４７ａ、ＬＥＤ４７ｂより投射された光束は、他の構成物を透過せず、また他の構成物により偏向されず遮蔽されない状態で可動翼片４ａ、４ｂ、若しくはレンズユニット５ａ、５ｂに形成されることのある光を拡散したり収束する光制御溝が設けられることのある光透過面対して照射される構造となっている。
【００１８】
図３において取付ベース基板２の背面側には案内ピン５３ａ、５３ｂが立設されていて、表示回路基板４６に透設された嵌挿孔５４ａ、５４ｂを嵌入することによって可動翼片４ａ、可動翼片４ｂ、若しくはレンズユニット５ａ、レンズユニット５ｂに対する表示回路基板４６に配設されたＬＥＤ４７ａ、ＬＥＤ４７ｂの光投射位置が設定されて取付ベース基板２に表示回路基板４６が係着される。電気配線を水平方向に導出するコネクタ４８とＬＥＤ４７ａ、４７ｂの表示回路基板４６における三次元の収容領域を、取付ベース基板２と取付ベース枠３間に設定するとともに、既述の可動翼片回動体２９ａ、２９ｂを回動可能に枢支する可動翼片回動体止め片２６の形成された表示回路基板拘持片８９が取付ベース基板２の背面に形成されている。
【００１９】
取付ベース基板２に形成された球受面の両側には、取付ベース蓋１に形成された挿着片１４を挿通して該取付ベース基板２の背面側に覆設される取付ベース枠３に形成された挿着溝３９ａ、３９ｂに嵌入させる挿着孔５１ａ、５１ｂの透設され筒状枠５６が成型されるとともに、当該入賞装置をパチンコ遊技機の遊技盤の所定位置に係着するための案内ピン５２ａ、５２ｂが、図示しない遊技盤面に刻設されたピン案内口に対向するよう成型されている。
【００２０】
図４は、取付ベース基板２の表面側に一対の可動翼片４ａ、４ｂとともに表示回路基板９を係着し、取付ベース蓋１を覆設し、取付ベース基板２の裏面側には表示回路基板４６を係着するとともに一対の可動翼片４ａ、４ｂを連繋駆動する駆動ソレノイド４４を収容した取付ベース枠３を覆設する層構造を、取付ベース基板２を中心に図示したものである。
【００２１】
以上説明した構成は、遊技盤に固着する取付ベース基板２に、複数のＬＥＤ１０，４７の設けられた表示回路基板９、４６より成る表示手段を、離隔して付設するとともに、弾性変形可能な合成樹脂材に付勢されて係合と離脱とを可能に係着する表示回路基板掛止片８を一例とする表示手段係止手段により係止する一方、遊技盤面に平行で旋回して球受け可能に開閉される光透過性樹脂材により成型された一対の可動翼片４ａ、４ｂを取付ベース基板２に設けられた軸受け溝８７に回動軸ピン６を係入して可動可能に表示回路基板４６の前方で枢支し、ＬＥＤ４７ａ、４７ｂの設けられた表示手段により入賞球を受入可能とする可動翼片４ａ、４ｂに光を照射する構造を有す入賞装置である。また光透過面となるレンズ部１２が形成された取付ベース蓋１を取付ベース基板２と取付ベース枠３とに嵌合して可動翼片４ａ、４ｂによるパチンコ球の受入と、可動翼片４ａ、４ｂに設けられた光透過面と取付ベース蓋１に設けられた光透過面とにＬＥＤの配設された表示回路基板のからの投光を制御して表示する入賞装置の構成を有する。
【００２２】
次に、図４において８は、一対の表示回路基板掛止片であって、表示回路基板掛止片８ｂには表示回路基板９の右端が係入される溝が形成される一方、表示回路基板掛止片８ａは弾性変形可能で鉤状に成型された凸片となっていて、右端が溝に係入された表示回路基板９の左端を弾性変形して受け入れ可能にして係止する。表示回路基板９の上端縁は既述の取付ベース基板２に透設された配線導出孔８８の開口に臨む形状に凹設されていて、表示回路基板９に配設されたコネクタ１１に電気接続された配線（リード線）を入賞装置本体の後方に向け挿通させる形状を有す。
【００２３】
２５ａ、２５ｂは遊技盤面に当該入賞装置を装着するに要すビス孔であって、ビスを貫通し遊技盤面で螺入してこれを固着するための構成である。２４ａと、２４ｂとは表示回路基板４６に設けられたＬＥＤ４７ａとＬＥＤ４７ｂとを挿通して投光部を導き入れるＬＥＤ嵌通孔であり前方に向かって広く形成された円錐台形状の中空部となっていて内側斜面を光の反射面としている。２２ａと、２２ｂとは、可動翼片４ａ、４ｂに形成された係受片３１ａと、３１ｂとを遊嵌させて駆動ソレノイド４４により連係作用される既述の可動翼片回動体２９ａ、２９ｂに設けられた係動腕３０の係動口８５ａと、係動口８５ｂとが連繋できる位置に導出する係受片貫通孔である。
【００２４】
８７ａと、８７ｂとは可動翼片４ａ、４ｂを回動可能に軸支する回動軸ピン６ａ、６ｂが嵌入される軸受け溝である。また可動翼片４ａ、４ｂの下方端には可動翼片４ａ、４ｂの拡開度を規制するストッパー２０ａ、２０ｂが凸設されていて、取付ベース蓋１の内壁面に延設されたストッパー受を兼ねる球受面１６下側壁によって係止され可動翼片４ａ、４ｂの拡開角度を８０度を超えて開かない様設定している。
【００２５】
可動翼片４ａ、４ｂに透設されたレンズユニット嵌挿口７ａ、７ｂには、レンズユニット５ａ、５ｂに延設されたレンズユニット咬止片１８ａ１８ｂを咬止める係止溝が刻設されている。レンズユニット咬止片１８ａ、１８ｂを有すレンズユニット５ａ、５ｂは、前方が扇状の光透過面を有し且つ上方側に開口が形成されてなり、内壁面には断面がほぼ三角波形状の光拡散面６９と平坦直線状の光遮蔽面とからなる光制御壁６５が成型され、また同心円上で円弧状の多数の溝が列設された光拡散面６６が当該パチンコ遊技機で遊戯する遊技者に対向して成型されて成る。これら光拡散面６９と光制御壁６５と光拡散面６９とは赤色の合成樹脂材により成型された光透過面として形成されていて、光の拡散の他収束や変調を行って光制御を実行する。図５参照。一方、可動翼片４ａ、４ｂの表面側には、深層部に透設されたピン挿通孔２１ａ、２１ｂに周設され、該ピン挿通孔２１ａ、２１ｂよりは一段浅い表層部側にはピン押さえ嵌合孔８６ａ８６ｂが設けられている。
【００２６】
図５（Ａ）において、可動翼片４ａ、４ｂのレンズユニット嵌挿口７ａ７ｂの外側において、遊技者に対向する表面側には互いに放射状に列設された大小二つの光拡散溝６７，６８が形成される一方、遊技盤面を落下する遊技球と対面する側壁の内側には、光透過性を有する断面三角形状の波面が列設された壁側面６４と平坦な壁側側面６４Ｂとが形成されている。本実施例の場合可動翼片４ａ、４ｂは全体が青色の光透過性を有す合成樹脂材の成型により光透過面として形成されている。図５（Ｃ）で図示するように、表示回路基板４６に配設されたＬＥＤ４７ａと、ＬＥＤ４７ｂとは、可動翼片４ａ、４ｂが拡開しない初期の状態においては可動翼片４ａ、可動翼片４ｂに形成された光透過面７１Ｘと対向してこれに投光を放ち、レンズユニット５ａ、５ｂに形成された光透過面７０ＸにはＬＥＤ４７ａ、ＬＥＤ４７ｂからの光束は入射しない構造となっている。
【００２７】
一方、図５（Ｂ）において、可動翼片４Ｘが駆動ソレノイド４４により後述する如くに連繋作用されて拡開されて八十度旋回した場合には、ＬＥＤ４７は可動翼片４Ｙに嵌合されたレンズユニット５Ｙの光透過面７０Ｙに対向する。即ち、表示回路基板４６に配設されたＬＥＤ４７から放射される光束は、レンズユニット５Ｙの光透過面若しくは及び光拡散面に対向してこれを照射する一方、可動翼片４Ｙ本体に形成された光透過面７１Ｙには到達せず遮蔽された構造となっている。
【００２８】
上記したように可動翼片４でＬＥＤ４７の投光を受ける光透過面には青色が着色され、レンズユニット５でＬＥＤ４７からの光を入射する光透過面には赤色の着色がされている構造である。この為、可動翼片４が初期位置にあるときは入賞装置の可動翼片４はＬＥＤ４７により可動翼片４の光透過面が照射されて青色を発色点灯する一方、可動翼片４が拡開された場合には、可動翼片４に嵌合されたレンズユニット５の光透過面がＬＥＤ４７からの投光を入射して赤色を発色点灯する。この場合において、ＬＥＤ４７の発光色は無彩色とした実施例を説明しているが、ＬＥＤ４７の発光色を有彩色とする一方、レンズユニット５や可動翼片４の光透過部の一方を透明色に彩色し、供に有彩色に着色して発光色を変換する光制御を行うものとしてもよい。
【００２９】
本実施例おいて光制御とは、入賞装置に設けられたＬＥＤより放射される光の色彩を変換しまたは光度や照度を大小調整することを云うものとする。即ち、レンズユニット５の光透過面が光を透過する透明度と、可動翼片４の光透過面が光束を透過する透明度とを異ならせて遊技者に放たれる光の強度とを可動翼片の拡開動作に対応して切換える構成としても良い。また、光を遮断する遮蔽板を可動翼片４とレンズユニット５とが隔離される可動翼片４若しくはレンズユニット５の適正な部位に形成して、可動翼片４の拡開度に応じて、双安定や単安定ではない光の照射を実行する構成としても良い。
【００３０】
図５（Ｃ）において、取付ベース蓋１の装飾面１３に隣接する下方端にはレンズ部１２が設けられている。レンズ部１２は、装飾面１３を取り囲んで形成され記述の窪み９８に貼着された装飾用のシール部材９９上面に面一となる高さを有す立壁１００より下方に延出されて後、下部稜線が曲面に形成された外装を具有する。光透過面となるレンズ部１２の内壁面には、光制御溝６２が同心円上に多数列等間隔に刻設されている。既述の取付ベース基板２に装設された表示回路基板９には２個のＬＥＤ１０ａ、１０ｂが配設されていて該ＬＥＤ１０ａ、ＬＥＤ１０ｂより投射された光束は、該同心円上に形成された各光制御溝６２の曲率に応じて偏向されて遊技者側に向けて照射される。これによって遊技者に与えられる光表示効果が、平面的で単調な光表示作用から遊技者が視認する視点によってレンズ部１２上の特定位置の輝度が強弱調整されまた光の干渉作用による多彩な光制御を入賞装置において実現する。
【００３１】
なお、上述の作用効果は、可動翼片４の光透過面若しくはレンズユニット５の光透過面に形成されて光制御をする光制御溝６６、光制御溝６７、光制御溝６８においてもレンズ部１２に形成された光制御溝６２と同様の遊技者の視点によって可動翼片４若しくはレンズユニット５の特定の光透過面における輝度を他の個所と異ならせ干渉させて表示制御することができる。これらの説明を断面図により補完する。即ち、図９（Ａ）にあっては、可動翼片４が初期の拡開されていない位置にあって、当該可動翼片４に嵌合されたレンズユニット５の光透過面は、表示回路基板４６に配設されたＬＥＤ４７には対向されておらず、可動翼片４の光透過面がＬＥＤ４７からの光束を受光する位置で待機した断面図を図示している。図９（Ｂ）の様に可動翼片４が駆動ソレノイド４４により連係動作されて拡開変位すると、ＬＥＤ４７からの光束は可動翼片４の光透過面より可動翼片４に嵌合されたレンズユニット５の光透過面に移動して対向される。
【００３２】
次に、図７を参照して、入賞球の通過経路と検出スイッチ９０、検出スイッチ４２における検出動作と駆動ソレノイド４４の駆動との関係について一実施例を説明する。可動翼片４が拡開されていない場合、パチンコ球９１は、当該入賞装置の頂頭部に形成された球スイッチ嵌合体２７を有する入賞装置の球受け口に落入しスイッチ嵌合体２７に係脱可能に装着された球検出スイッチ９０が入賞球９２の成立を検出する。当該入賞装置内に落入した入賞球９２は、一対の可動翼片４間に形成された球通過経路間を落下して後取付ベース蓋１に延出された球受面１６に至り傾斜面を転動し、更に球受面１６に連通された取付ベース基板２の球受面２３に至る。
【００３３】
入賞球９２を自重により転動可能に形成された球受面２３の下端に臨んでは、取付ベース枠３に嵌合される球検出スイッチ４２が設けられていて、該入賞球９２が球検出スイッチ４２の球通過口を落下すると入賞球検出信号が出力される。既述のように取付ベース枠３に脱着可能に係着された駆動ソレノイド４４は、起動信号を受信した駆動時に該駆動ソレノイド４４のアクチエーター４５に連係動作される可動翼片回動体２９を介して、可動翼片４に設けられた係受片３１ａ、３１ｂを係動作用して左右一対の可動翼片４ａ、４ｂを拡開作用する。図２及び既述を参照。これにより拡開作用された可動翼片４はパチンコ球９１に対する球受け領域を拡大して入賞球９２の成立を容易とする。
【００３４】
球検出スイッチ４２に入賞球検出作用を与えた入賞球９２は、自重により落下し当該入賞装置機外へ排出される。拡開された可動翼片４の左右の可動翼片４ａ、４ｂで受け止められたパチンコ球は、球検出スイッチ９０に検出信号を導出させずに球受面１６，２３を転動して後、球検出スイッチ４２により検出作用を受ける。球検出スイッチ４２と球検出スイッチ９０とは、搭載するパチンコ遊技機の機種によっては既述のように適宜取り外して使用可能である。
【００３５】
球検出スイッチ９０と球検出スイッチ４２と、励磁動作と非励磁動作とにより可動翼片４が形成する球受け領域を拡大し若しくは縮小する駆動ソレノイド４４とが構成する連係動作については、多様な組み合わせが設定できる。例えば球検出スイッチ９０による球検出信号に基づいて駆動ソレノイド４４を稼働し、若しくは駆動ソレノイド４４の稼働を停止すること。球検出スイッチ４２による球検出信号に基づいて駆動ソレノイド４４を稼働し、若しくは駆動ソレノイド４４の稼働を停止すること。
【００３６】
この組み合わせにおいては球検出スイッチ９０の球検出動作に基づいて可動翼片４を拡開し、球検出スイッチ４２による球検出動作に基づいて可動翼片４が形成する球受け口を縮閉する連動動作や、球検出スイッチ４２による球検出動作に基づきタイマーで設定された一定時間の限りおいて可動翼片４を駆動ソレノイド４４により拡開する動作。或いは球検出スイッチ４２において一個目のパチン球が検出された場合に可動翼片４を拡開し、球検出スイッチ４２によって二個目のパチンコ球が検出された場合には可動翼片４を縮閉する動作などを様々に構成することができる。
【００３７】
これらの組み合わせ構成については、パチンコ遊技機に設けられて当たり、大当たり、入賞球の成立や確率を設定しパチンコ遊技機においてスロットマシン様の遊技態様を設定し、賞品球の払い出しや更に表示制御を指定するパチンコ遊技機に設けられる主制御回路９５に設けられる制御プログラムと検出信号と処理データーとによって様々に制御設定できる。図８参照。
当該入賞装置はパチンコ遊技機に設けられて前記図柄表示装置９６や他の入賞装置を始動する始動入賞装置として使用することができる。例えば球検出スイッチ９０若しくは球検出スイッチ４２が当該入賞装置へのパチンコ球の落入を検出した場合に主制御回路９５を介して図柄表示装置９６を起動しスロットマシン態様の遊技を開始させるものとして使用することができる。
【００３８】
一方、当該入賞装置に設けられた表示手段は、既述したように、当該入賞装置の取付ベース蓋１の光制御溝６２の形成されたレンズ部１２若しくは及び、可動翼片４に設けられる光表示面、即ちレンズユニット５の表面側に形成される光制御溝６６と、可動翼片４に形成された光制御溝６８とを有す光透過面によって、当該入賞装置から投射する光の色彩や色調若しくは光度や照度などを、入賞装置における通過位置や、球検出スイッチの検出動作、可動翼片４の拡開縮閉動作に対応して光制御することが可能な構成となっていて、レンズ部１２と可動翼片４とを、拡開縮閉する駆動ソレノイド４４の動作と、検出スイッチ４２による検出動作と、検出スイッチ９０とに基づいて様々に表示制御することのできる構成となっている。
【００３９】
既述した構造を有す表示手段の電気系統は、球検出スイッチ９０と球検出スイッチ４２と駆動ソレノイド４４と表示回路基板９とＬＥＤ１０ａ、１０ｂと、表示回路基板４６とＬＥＤ４７ａ、ＬＥＤ４７ｂと、パチンコ遊技機に設けられる他の表示装置例えばパチンコ遊技機の枠に設けられる表示素子を駆動する表示制御回路９４と、当たり判定を表示する図柄表示装置９６と、一時に多数の入賞球を成立される大入賞口装置９７と、主制御回路９５とを直接間接に通信接続可能な配線機能を有する構成とすることができる。
【００４０】
また入賞装置本体において単独で電源供給を受けて光表示制御する構成とすることもできる。例えば、球検出スイッチ９０の球検出に基づきＬＥＤ１０ａと、ＬＥＤ１０ｂとを点灯するとともにＬＥＤ４７ａと、ＬＥＤ４７ｂとを点灯して可動翼片４に形成された光透過面より該ＬＥＤ４７ａ、ＬＥＤ４７ｂから投光を青色で放射し、併せて駆動ソレノイド４４を球検出スイッチ９０の球検出信号に基づき起動して可動翼片４を拡開作用する。可動翼片４が拡開してＬＥＤ４７ａ、ＬＥＤ４７ｂが可動翼片４に嵌合されたレンズユニット５の光透過面に対向されて赤色の投光を遊技者に向けて照射する。
【００４１】
次に入賞球が球検出スイッチ４２により検出されると、駆動ソレノイド４４が励磁状態より非励磁状態に変換されることにより、可動翼片４が拡開位置より縮閉状態に復帰してＬＥＤ４７ａ、ＬＥＤ４７ｂの投光はレンズユニット５の光透過面より可動翼片４の光透過面に対向することとなり可動翼片４よりの投光は赤色の照射から青色の照射に移り変わり、後に再び球検出スイッチ４２において入賞球の検出信号が出力されるとＬＥＤ４７ａ、ＬＥＤ４７ｂはＬＥＤ１０ａ、ＬＥＤ１０ｂとともに消灯する構成が例示される。
【００４２】
また、別の例として、球検出スイッチ９０が入賞を検出して検出信号を出力すると可動翼片４ａ、４ｂの光透過面からＬＥＤ４７ａとＬＥＤ４７ｂが点灯されて青色が遊技者側に照射される。球検出スイッチ９０を作用した入賞球が球受面１６，２３を転動した後球検出スイッチ４２により検出されると、駆動ソレノイド４４がこの検出信号を受信して励磁され可動翼片４ａ、４ｂが拡開してパチンコ球を入賞し易くすると供に、レンズユニット５ａとレンズユニット５ｂとの光透過面がＬＥＤ４７ａと、ＬＥＤ４７ｂとに対向する位置に転位して青色の発色が赤色に変換される。
【００４３】
駆動ソレノイド４４の駆動信号の出力完了後球検出スイッチ９０の検出信号出力時よりは遅延して取付ベース蓋１のレンズ部１２により構成された光透過面に対設されたＬＥＤ１０ａ１０ｂが点灯する。後再び球検出スイッチ９０によるパチンコ球の検出が行われると、駆動ソレノイド４４は励磁状態より非励磁状態に復帰されるともに駆動ソレノイド４４の復帰によって可動翼片４ａ、４ｂが拡開位置より縮閉位置に転位してＬＥＤ４７ａとＬＥＤ４７ｂとの投光はレンズユニット５ａ、５ｂの光透過面より可動翼片４ａ、４ｂの光透過面に対向してこれを照射する。結果可動翼片４の光透過面よりは青色の投光が放たれる初期の状態に変換される。球検出スイッチ９０を作用した入賞球を球検出スイッチ４２が検出するとＬＥＤ４７ａ、４７ｂとＬＥＤ１０ａ、１０ｂとは供に消灯される構成が考えられる。
【００４４】
尚、当該入賞装置を始動入賞口として使用する場合で、パチンコ遊技機における始動入賞球を最大３個まで記憶可能に許容するパチンコ遊技機においては、始動入賞球数が最大数に満たない間は、球検出スイッチ９０の検出信号に基づいてＬＥＤ４７ａ４７ｂとＬＥＤ１０ａ１０ｂとを点灯するともに、駆動ソレノイド４４を励磁して可動翼片４ａ、４ｂを拡開状態に維持して可動翼片４に嵌合されたレンズユニット５ａ５ｂより継続して赤色の投光を照射し、検出スイッチ４２の検出動作に基づく始動記憶個数が大当たり判定動作に基づいて減算されて０復帰した場合には、駆動ソレノイド４４を非励磁状態にして可動翼片４ａ、４ｂを縮閉状態に転位して可動翼片４ａ、４ｂの光透過面より青色を発色させた後遅延してタイマーで設定した極めて短い時間の経過後ＬＥＤ１０ａとＬＥＤ１０ｂとＬＥＤ４７ａとＬＥＤ４７ｂとを消灯する構成としても良い。
【００４５】
そして、パチンコ遊技機の主制御回路９５で大当たり動作が判定された場合。例えば図柄表示装置９６に表示された判定図柄が予め定められた所定の図柄で一致して大当たりが判定された場合には、球検出スイッチ９０と球検出スイッチ４２との検出動作には拘わらずＬＥＤ１０ａ、ＬＥＤ１０ｂと、ＬＥＤ４７ａ、ＬＥＤ４７ｂとを主制御回路９５から駆動信号により点滅表示する構成としても良い。図８において、パチンコ遊技機に接続される制御ブロック中発射装置や賞品球の払い出し装置等を除いた球検出スイッチ９０と球検出スイッチ４２とＬＥＤ１０ａ、１０ｂとＬＥＤ４７ａ、４７ｂと表示制御回路９４と主制御回路９５と図柄表示装置９６と大当たり判定動作に基づいて開放動作される大入賞口装置９７との接続系統をブロック図で簡単に示した。
【００４６】
勿論、既述したように当該入賞装置単体で独立した可動翼片４の拡開動作と光表示制御とを、駆動ソレノイド４４と、ＬＥＤ１０ａとＬＥＤ１０ｂとの設けられた表示回路基板９と、ＬＥＤ４７ａとＬＥＤ４７ｂとの設けられた表示回路基板４６と、球検出スイッチ９０と、球検出スイッチ４２とで構成するものとしても良い。この場合、球検出スイッチ９０がパチンコ球を検出した場合ＬＥＤ１０ａとＬＥＤ１０ｂとに電源を投入する。球検出スイッチ４２がパチンコ球を検出した場合にはＬＥＤ４７ａとＬＥＤ４７ｂとに電源を投入するとともに駆動ソレノイド４４に電源を投入する。
【００４７】
或いは、球検出スイッチ９０と球検出スイッチ４２とを相連係してパチンコ球と入賞球とが所定の関係で検出された場合に、ＬＥＤ４７ａとＬＥＤ４７ｂとを点灯すると供に、駆動ソレノイド４４を駆動する構成も考えられる。検出スイッチ４２のみが入賞球の検出をした場合、例えば可動翼片４の拡開状態において球検出スイッチ９０が入賞球を検出せず球検出スイッチ４２のみが球検出した場合にはＬＥＤ１０ａとＬＥＤ１０ｂとを点灯し、ＬＥＤ４７ａとＬＥＤ４７ｂとには電源を投じない構成とすることもできる。
【００４８】
ＬＥＤ４７ａとＬＥＤ４７ｂとを常時点灯状態とし、球検出スイッチ４２による球検出に基づいて駆動ソレノイド４４を励磁駆動して可動翼片４の開放状態を変換するとともに可動翼片４より放射される光束の色彩を青色より赤色に変換して光表示すること。始動記憶数が許容された数値を超えて当該入賞装置への入賞が球検出スイッチ９０若しくは球検出スイッチ４２により検出される場合にＬＥＤ１０ａとＬＥＤ１０ｂとを点灯駆動することもパチンコ遊技機の入賞装置において有効な遊技情報を光情報により伝達する構成として好ましい。
【００４９】
次に、可動翼片４ａ４ｂの光束を受光する光透過面はＬＥＤ４７ａに４７ｂに対向して凹形状に形成され、レンズユニットが光束を受光する光透過面も同様に凹形状に形成されている。これら凹形状に形成された可動翼片の光透過領域とレンズユニット５の光透過領域とは遮光性を有す隔壁である光制御壁６５が形成されている。光制御壁６５は、内部に入射されたＬＥＤ４７の投光を隣接する可動翼片の光透過領域若しくはレンズユニット５の光透過領域に互いに透過しないように形成された反射面を有する。
【００５０】
可動翼片４の光透過領域に入射された光束は、可動翼片４の合成樹脂成型体内に侵入しまた光制御溝によって乱反射し、レンズユニット５を取り囲んで嵌合された可動翼片４の周縁においても光表示を実現する。一方、既述したように、当該入賞装置は可動翼片４の開放動作前における初期位置と、開放動作後の球受位置とにおいて二つの安定した静止状態を有していて、初期位置においては青色の投光を光制御壁６４と光制御溝６７と光制御溝６８とを光透過面として拡散して照射し、開放動作後の球受位置においてはＬＥＤ４７ａ、ＬＥＤ４７ｂから放たれた無色の光束をレンズユニット５ａ５ｂ含有された顔料により赤色の投光として光制御壁６５と光制御溝６６とによって、光を収束し若しくは拡散して照射する。
【００５１】
この場合、これらの溝の形態は放射状であり、一定の曲率を有す同心円弧形状であり、格子状に形成されているので幾何学的な模様が可動翼片４若しくはレンズユニット５を介して現出される構造となっている。また光制御壁にあっては、鋸歯形状となっている部位と、平坦な直線及び曲面形状となって抽象的な形態を光の投射を受けて現出する構造となっている。この為、入賞装置により放たれる表示機能は単調な光表示には留まらず、入賞装置に設けられた一対の可動翼片４ａ、可動翼片４ｂの回動度に応じた光模様がパチンコ遊技機の入賞装置において幾何学的に表現されることを可能としている。
【００５２】
次に図１０は、ＬＥＤ４７ａ、ＬＥＤ４７ｂに対向されるレンズユニット５ａ、５ｂを含む可動翼片４ａ、４ｂを、駆動ソレノイド４４による拡開若しくは縮閉動作を介して球検出スイッチ９０、球検出スイッチ４２、駆動ソレノイド４４、主制御回路９５においてパチンコ遊技機で生成される検出信号を含む制御信号や制御データに基づき点灯表示するパターンを表に纏め図示したものである。
【００５３】
この場合、パチンコ遊技機の当業者に周知な風俗営業法において規定され定義された特別図柄表示装置の作動、特定の図柄の組み合わせ、特別電動役物の作動、大入賞口の開放動作、大入賞口開放動作、大入賞口の開放時、大入賞口内の特定の領域へのパチンコ球の通過、条件装置の作動、役物連続作動装置の作動、特別電動役物の作動、役物連続作動装置における作動終了、入賞確率や大当たり発生確率の変動を条件として、前記制御信号や制御データに基づきＬＥＤ４７を有する表示回路を駆動し可動翼片４を介して入賞装置において遊技情報を表示しパチンコ遊技に伴う入賞装置とパチンコ遊技機との趣向感を向上させる。
【００５４】
なお図６において、取付ベース基板２の前面側に係着された表示回路基板９と裏面側に係着された表示回路基板４６に設けられたコネクタ１１とコネクタ４８とに接続された配線（リード線）は、配線導出孔８８の開口面により結束され配線収容部４１でその延出方向が規制されて当該入賞装置の後方に導かれている。
本発明の実施例に記載した発明の構成によって、複数の表示回路基板９、９４を取付ベース基板２に係着する構成としたので、可動翼片４ａ、４ｂを有す入賞装置における表示回路系統を合理的に集約して球検出スイッチ４２、９０や駆動ソレノイド４４の配線と供に表示制御回路９４若しくは主制御回路９５に導くことができる効果を生じる。本発明の実施例に記載した発明の構成によって、可動翼片４と取付ベース蓋１とに形成された光透過面を対向して配置したＬＥＤ１０ａ、ＬＥＤ１０ｂ、ＬＥＤ４７ａ、ＬＥＤ４７ｂを介してパチンコ遊技機における遊技状態や入賞装置における球検出状態若しくは可動翼片４の作動位置に対応した光表示することができる効果を生じる。
【００５５】
なお、ＬＥＤ４７、ａ４７ｂの駆動方法については、ＦＦ回路（フリップフロップ）の回路動作により一回目の球検出スイッチ９０若しくは球検出スイッチ４２からの検出信号はＣＲ遅延回路を介してＬＥＤの電源回路を導通するに与える一方、ＦＦ回路（フリップフロップ）により二回目の球検出スイッチ９０若しくは球検出スイッチ４２の検出信号はＬＥＤの電源回路を導通するに直接与えて電力を投入する構成とすれば、パチンコ球の検出後一定の遅延時間の後に可動翼片４がＬＥＤ４７により照射され、パチンコ球の検出と同時に可動翼片４を照射するＬＥＤ４７が消灯するＬＥＤ駆動回路を設けることができ、またパチンコ球検出と同時にＬＥＤ４７により可動翼片を投光しパチンコ球の検出後一体時間後にＬＥＤ４７による可動翼片への光照射を停止する構成とすることもこれを可動翼片用ＬＥＤ４７制御手段として設定することができる。
【００５６】
なお、発光色を変換する光変換手段とは、可動翼片４に設けられた光透過面がＬＥＤ４７の投光を入射する位置を切り換えることにより可動翼片４より遊技者に放射する発光色を変更する変換手段であって、本実施例においては可動翼片４の光透過面とレンズユニット５の光透過面とが、ＬＥＤ４７からの投光を駆動ソレノイド４４に作用されて回動する可動翼片４の位置の変位により入れ替えられて、可動翼片の透過面の青色とレンズユニット５の透過面の赤色とがＬＥＤ４７に照射されて切り替わり表示される構成となっている。従って、本実施例の如くレンズユニット５を嵌合可能に分離して設けるものとせず、可動翼片４の光透過面自体を異なる複数の形状や色調に形成した光変換手段の構成とすることもできる。更にＬＥＤ４７の発光色を電子制御的に切り換える光制御回路を当該光変換手段に設ける構成は、可動翼片４における遊技情報の詳細な伝達や、可動翼片４の趣向の向上にも一層有効なものとなる。
【００５７】
本願発明の実施例に記載した構成は、当該入賞装置の装置内に設けられたＬＥＤからの光束を制御して遊技者側に照射する複数の光透過面を、拡開時にはパチンコ球を装置内への受入を容易とし縮閉時には装置内への受入を困難とする可動翼片に形成すると供に、該可動翼片の拡開若しくは縮閉動作に対応して前記ＬＥＤからの光束を受ける複数の光透過面を交互に切り換えて遊技者に向け可動翼片から投射する発光色を変換する光変換手段の設けられたことを特徴とするパチンコ遊技機の入賞装置であり、パチンコ遊技機の入賞装置における入賞球取得に伴う趣向を可動翼片の動作に同調して変換制御される光を介して向上させ、併せて入賞装置の動作状態に応じた情報表示を、ノイズに弱い電子回路やプログラムによることなく単純な機械構造により実行可能なパチンコ遊技機の入賞装置を提供する効果を生じる。特に、ＬＥＤ即ち発光ダイオードからの光束を透過して遊技者側に照射する着色された第一の光透過面と、第二の光透過面とを、色調を異ならせ且つ分離して可動翼片に形成するとともに、可動翼片の拡開若しくは縮閉動作に対応して前記第一の光透過面と第二の光透過面とに交互に対向する位置に、前記発光ダイオードが配設された主制御回路に接続可能な表示回路基板を、パチンコ球を検出する球検出スイッチと可動翼片を駆動する駆動ソレノイドとが係着された取付ベース基板に付設したことを特徴とするパチンコ遊技機の入賞装置となっていて、ＬＥＤ４７ａ、４７ｂからの光束を透過して遊技者側に照射する光制御溝が刻設され青色である第一の色彩に着色された第一の光透過面と光制御溝の刻設され赤色である第二の色彩が着色された第二の光透過面とを遊技者に照射する光の色彩を含む色調を異ならせ且つ分離して照射可能に可動翼片４に形成するとともに、可動翼片４ａ、４ｂの拡開若しくは縮閉動作に対応して前記第一の光透過面と第二の光透過面とに交互に対向する位置には前記ＬＥＤ４７ａ、４７ｂが配設された表示回路基板４６とを設ける一方、球検出スイッチ４２、９０と、前記可動翼片４ａ、４ｂを駆動する駆動ソレノイド４４とを取付ベース枠３を介して係着した取付ベース基板２に設けた構成を当該入賞装置に有するものである。
【００５８】
本願発明の実施例に記載した構成は、パチンコ遊技機の遊技状態と、当該パチンコ遊技機における入賞球を含むパチンコ球の転動状況と、可動翼片４ａ、４ｂの拡開若しくは縮閉動作とに対応して入賞装置に設けられたＬＥＤ４７ａ、ＬＥＤ４７ｂ等の単一の表示素子から投射される光を制御して遊技者に向けて照射される色を多彩に変換し可動翼片４ａ、４ｂの動作状態を含むパチンコ遊技機における遊技者に有効な遊技情報を色彩の変更により分離して伝達可能とするとともに、入賞装置から発せられる発光色を電子的な制御に頼らず機構的に切り換える光変換手段を有するものであって、当該入賞装置での入賞球取得に伴う満足感を向上させ併せてパチンコ遊技に対する遊技者の志気を高揚させることのできる可動翼片４ａ、４ｂを有すパチンコ遊技機の入賞装置が提供できる効果を生じる。
【００５９】
本願発明の実施例に記載した構成は、取付ベース蓋１のレンズ部１２と、左右一対の可動翼片４ａ、４ｂの例えば本体と、可動翼片４ａと可動翼片４ｂとにそれぞれ嵌合される例えばレンズユニット５ａとレンズユニット５ｂとに光制御溝６２、６７、６８が形成され着色された光透過面を具備し、可動翼片４ａ、４ｂの拡開若しくは縮閉動作に伴ってこれにＬＥＤ４７ａ、４７ｂからの投光を拡開若しくは縮閉動作の第一位置においては第一の色彩を可動翼片に形成された光透過面より発色させる一方、可動翼片４ａ４ｂの第二位置においてはレンズユニット５ａ、５ｂに形成された光透過面より第二の色彩を発色して遊技者に向けて照射する入賞装置であって、可動翼片を有す入賞装置における情報表示機能とパチンコ遊技機における可動翼片を有す入賞装置の趣向とを向上させる。
【００６０】
本願発明の実施例に記載した発明の構成は、取付ベース蓋１のレンズ部１２と、左右一対の可動翼片４ａ、４ｂの例えば本体の外周面と、可動翼片４ａ、可動翼片４ｂにそれぞれ嵌合される例えばレンズユニット５ａとレンズユニット５ｂとに彩色された光透過面を設ける一方、可動翼片４ａ、４ｂの拡開若しくは縮閉動作に伴ってＬＥＤ４７ａ、４７ｂからの投光色と光透過面の彩色とを組み合わせ加減して、拡開時には第一の色彩を可動翼片より発色させる一方、可動翼片４ａ４ｂの閉鎖時には第二の色彩を発色させる可動翼片４ａ、４ｂ回動用の駆動ソレノイド４４が取付ベース基板を介して係着された入賞装置であり、可動翼片の拡開若しくは縮閉動作に対応して光が投射される前記光透過面を交互に切り換え遊技者に向けて照射する発光色を変換する光変換手段の設けられたことを特徴とするパチンコ遊技機の入賞装置であって、可動翼片を有す入賞装置における情報表示機能と可動翼片を有す入賞装置の趣向とを機能化して向上する。当該入賞装置での入賞球取得に伴う満足感を可動翼片の動作に同調して光を介して向上させ、併せてパチンコ遊技に対する遊技者の志気を光制御により高揚させる効果を有する。
【図面の簡単な説明】
【００６１】
【図１】本願発明に係る入賞装置の組立斜視図である。
【図２】本願発明に係る入賞装置の分解斜視図である。
【図３】本願発明に係る入賞装置の取付ベース基板の背面斜視図である。
【図４】本願発明に係る入賞装置に設けられる複数の表示回路基板の取付状態を示す正面斜視図である。
【図５】本願発明に係る入賞装置の可動翼片に設けられる光透過面と、レンズユニットに設けられる光透過面および取付ベース蓋に設けられる光透過面とを示す図である。
【図６】本願発明に係る入賞装置の表示回路基板より引き出されるリード線の処理系統を示す図である。
【図７】本願発明に係る入賞装置における入賞球の通過経路を示す側断面図である。
【図８】本願発明に係る入賞装置を動作制御する主制御回路を含むパチンコ遊技機の制御ブロック図である。
【図９】本願発明に係る入賞装置の可動翼片に設けられる光透過面とレンズユニットと取付ベース蓋に設けられる光透過面とを表わす側断面図である。
【図１０】本願発明に係る入賞装置の可動翼片で設定される表示パターンの例を図示したものである。
【符号の説明】
【００６２】
１  取付ベース蓋、２  取付ベース基板、３  取付ベース枠、４  可動翼片、
５  レンズユニット、６  回動軸ピン、７  レンズユニット嵌挿口、
８  表示回路基板掛止片、９  表示回路基板、１０  ＬＥＤ、１１  コネクタ、１２  レンズ部、１３  装飾面、１４  挿着片、１５  取付ベース蓋側壁、
１６  球受面、１７  ピン押さえ、１８  レンズユニット咬止片、１９  、
２０  ストッパー、２１    ピン挿通孔、２２  係受片貫通孔、２３  球受面、２４  ＬＥＤ嵌通孔、２５  ビス孔、２６  可動翼片回動体止め片、
２７  球検出スイッチ嵌合体、２８  球検出スイッチ挿通溝、
２９  可動翼片回動体、３０  係動腕、３１  係受片、３２  係受腕、
３３  係動片、３４  可動翼片連繋体、３５  アクチュエータ嵌挿口、  
３６  回動軸、３７  軸受け溝、３８  軸受け溝、３９  挿着溝、
４０  ソレノイドホルダー、４１  配線収容部、４２  球検出スイッチ、
４３  球通過口、４４  駆動ソレノイド、４５  アクチュエーター、
４６  表示回路基板、４７  ＬＥＤ、４８  コネクタ、４９  取付孔、
５０  球通過縁、５１  挿着孔、５２  案内ピン、５３  案内ピン、
５４  嵌挿孔、５５  嵌合溝、５６  筒状枠、６０  光制御溝、６１  光制御溝、６２  光制御溝、６３  光遮蔽壁、６４  光制御壁、６５  光制御壁、
６６  光制御溝、６７  光制御溝、６８  光制御溝、６９  光制御溝、
７０  光透過面、７１  光透過面、８０  配線、８１  配線、
８２  球検出スイッチ挿通筒、８３  回動軸、８４  係動口、８５  係動口、
８６  ピン押さえ嵌合孔、８７  軸受け溝、８８  配線導出孔、
８９  表示回路基板拘持片、９０  球検出スイッチ、９１  パチンコ球、
９２  入賞球、９３  レンズユニット咬止片、９４  表示制御回路、
９５  主制御回路、９６  図柄表示装置、９７  大入賞口装置、９８  窪み、
９９  シール部材。
【図１】
2005270274.tif 000003
【図２】
2005270274.tif 000004
【図３】
2005270274.tif 000005
【図４】
2005270274.tif 000006
【図５】
2005270274.tif 000007
【図６】
2005270274.tif 000008
【図７】
2005270274.tif 000009
【図８】
2005270274.tif 000010
【図９】
2005270274.tif 000011
【図１０】
2005270274.tif 000012